(57)【要約】【課題】外壁面材の表面に沿って吹き上げられた雨水が建物内部に進入することのない外壁構造およびその施工方法を提供する。【解決手段】本発明の外壁構造Ｋは、外壁面材１，２を備えてなる外壁構造Ｋであって、外壁面材１，２に水平に吹上防止部材３を配設し、吹上防止部材３を介して軒天ランナー２０を取り付けなるもので、吹上防止部材３の外壁面材１，２の当接面に配設された圧縮自在な止水材３２により止水をなすものである。【選択図】図１
2008133670.tif 000002
【特許請求の範囲】
【請求項１】
外壁面材を備えてなる外壁構造であって、外壁面材に水平に吹上防止部材を配設し、該吹上防止部材を介して水平部材を取り付けてなることを特徴とする外壁構造。
【請求項２】
吹上防止部材が、Ｌ字状の本体と該本体の外壁面材の当接面に配設された圧縮自在な止水材とを備えてなることを特徴とする請求項１記載の外壁構造。
【請求項３】
本体が水平部材の位置決めをなす位置決め突起を有してなることを特徴とする請求項２記載の外壁構造。
【請求項４】
本体の板厚が止水材の弾発力により外方に折り曲げられるよう調整されてなることを特徴とする請求項２記載の外壁構造。
【請求項５】
吹上防止部材が防止部材分割体からなり、前記分割体相互の接合位置が、外壁面材の竪目地位置からずらされていることを特徴とする請求項１記載の外壁構造。
【請求項６】
外壁面材を備えてなる外壁構造の施工方法であって、外壁面材に吹上防止部材を配設する手順を含んでいることを特徴する外壁構造の施工方法。
【請求項７】
吹上防止部材に設けられた位置決め突起を利用して水平部材を取り付ける手順が付加されていることを特徴とする請求項６記載の外壁構造の施工方法。
【請求項８】
吹上防止部材が防止部材分割体からなり、前記分割体相互の接合位置を外壁面材の竪目地位置からずらすことを特徴とする請求項６記載の外壁構造の施工方法。
【発明の詳細な説明】
【技術分野】
【０００１】
本発明は、外壁構造およびその施工方法に関する。さらに詳しくは、雨水が壁面や竪目地に沿って吹き上げられて建物内部へ進入するのが防止される外壁構造およびその施工方法に関する。
【背景技術】
【０００２】
従来より、パネル化工法が採用された住宅などの建物における外壁構造１００においては、図１４に示すように、外壁面材１０１と外壁面材１０２との垂直接合部、つまり竪目地には、シーリング１０３がなされている。
【０００３】
しかしながら、外壁面材１０１，１０２の表面角部は、施工性および意匠性などの理由から面取り１０４がなされているため、図１５に示すように、シーリング１０３の表面と外壁面材１０１，１０２の表面とは一致せず段差が生じることになる。
【０００４】
このような状態で、図１６に示すように、外壁面材１０１，１０２に軒天ランナー、換気破風水切、バルコニー笠木などの水平部材１０５を取り付けると、図１７に示すように、竪目地部に隙間１０６が生ずる。また、外壁面材１０１，１０２の表面は完全なフラットではなく、多少のでこぼこが存在しているため、外壁面材１０１，１０２と水平部材１０５との間にも隙間が生ずる。
【０００５】
このため、外壁面材１０１，１０２の表面およびシーリング１０３の表面に沿って吹き上げられた雨水は、竪目地部の隙間１０６や外壁面材１０１，１０２と水平部材１０５との隙間から水平部材１０５の上方に吹き上げられ、軒天井裏などの建物内部に進入する。
【発明の開示】
【発明が解決しようとする課題】
【０００６】
本発明はかかる従来技術の課題に鑑みなされたものであって、外壁面材およびシーリングの表面に沿って吹き上げられた雨水が建物内部に進入することのない外壁構造およびその施工方法を提供することを目的としている。
【課題を解決するための手段】
【０００７】
本発明の外壁構造は、外壁面材を備えてなる外壁構造であって、外壁面材に水平に吹上防止部材を配設し、該吹上防止部材を介して水平部材を取り付けてなることを特徴とする。
【０００８】
本発明の外壁構造においては、吹上防止部材が、Ｌ字状の本体と該本体の外壁面材の当接面に配設された圧縮自在な止水材とを備えてなるのが好ましい。
【０００９】
また、本発明の外壁構造においては、本体が水平部材の位置決めをなす位置決め突起を有してなるのが好ましい。
【００１０】
さらに、本発明の外壁構造においては、本体の板厚が止水材の弾発力により外方に折り曲げられるよう調整されてなるのが好ましい。
【００１１】
さらに、本発明の外壁構造においては、吹上防止部材が防止部材分割体からなり、前記分割体相互の接合位置が、外壁面材の竪目地位置からずらされているのが好ましい。
【００１２】
本発明の外壁構造の施工方法は、外壁面材を備えてなる外壁構造の施工方法であって、外壁面材に吹上防止部材を配設する手順を含んでいることを特徴する。
【００１３】
本発明の外壁構造の施工方法においては、吹上防止部材に設けられた位置決め突起を利用して水平部材を取り付ける手順が付加されているのが好ましい。
【００１４】
また、本発明の外壁構造の施工方法においては、吹上防止部材が防止部材分割体からなり、前記分割体相互の接合位置を外壁面材の竪目地位置からずらすのが好ましい。
【発明の効果】
【００１５】
本発明によれば、外壁面材およびシーリング表面に沿って吹き上げられる雨水の建物内部への進入を防止できるという優れた効果が得られる。
【００１６】
本発明の好ましい形態によれば、吹上防止部材に水平部材の位置決め突起が設けられているので、その位置決め突起を利用して水平部材の取り付けがなし得、水平部材の取り付けのための墨出しが不要となるという優れた効果も得られる。
【発明を実施するための最良の形態】
【００１７】
以下、添付図面を参照しながら本発明を実施形態に基づいて説明するが、本発明はかかる実施形態のみに限定されるものではない。
【００１８】
本発明の一実施形態に係る外壁構造の要部を図１に斜視図で示し、図２に水平断面図で示す。なお、本実施形態は、本発明を軒天ランナーの取付部に適用したものである（図４参照）。
【００１９】
外壁構造Ｋは、図１および図２に示すように、外壁面材１，２の軒天ランナーの取付位置に対応する部位に水平に吹上防止部材３を備えてなるものとされる。なお、外壁構造Ｋのその余の構成は、従来の外壁構造と同様とされているので、以下、吹上防止部材３を中心に説明する。
【００２０】
吹上防止部材３は、図３に示すように、Ｌ字型鋼板からなる本体３１と、Ｌ字の一辺（垂直辺）３１ａの下部外面に配設された圧縮自在な止水材３２とを備えてなるものとされ、水平辺３１ｂを上にし、止水材３２を外壁面材１，２の外面およびシーリング４の表面に押し当てて圧縮した状態で、つまり逆Ｌ字の状態で外壁面材１，２に取り付けられる。なお、図示例においては、吹上防止部材３は、右側防止部材分割体３Ｒと左側防止部材分割体３Ｌとを接合してなるものとされる。
【００２１】
右側防止部材分割体３Ｒと左側防止部材分割体３Ｌとの接合位置Ｊは、図２に示すように、シーリング４を外れた位置とされる。このようにするのは、右側防止部材分割体３Ｒや左側防止部材分割体３Ｌの外壁面材１，２へのビス留めをシーリング４を跨いですること（図８参照）ができるようにして、吹上防止部材３とシーリング４との隙間を止水材３２により確実に塞ぐためである。また、止水材３２のビス留めにより損傷を回避するため、ビス留め位置Ｂは垂直辺３１ａの上部、つまり止水材３２の上方とされている。
【００２２】
本体３１の板厚は、止水材３２が圧縮された場合に、その弾発力により垂直辺３１ａの下部が外側（水平辺３１ｂ）に向けて折り曲がるように調整されている。
【００２３】
また、本体３１の垂直辺３１ａの内面の適宜箇所には、軒天ランナーの位置決めをなす位置決め突起３１ｃが設けられている。
【００２４】
水平辺３１ｂの幅、つまり外壁面材１，２からの突出量は２０ｍｍ程度とされて、雨水の吹上を防止する一方、軒天内における換気を阻害しないようにされている。
【００２５】
止水材３２は、例えば、合成樹脂を海綿状（スポンジ状）に形成してなるものとされて垂直辺３１ａの外壁面材１，２およびシーリング４の表面との当接面下部に貼付される。
【００２６】
図４に、かかる吹上防止部材３が設けられた外壁構造Ｋの軒天部１０の一例を断面で示す。図中、符号２０は軒天ランナーを示す。
【００２７】
次に、図５〜図１３を参照しながら、かかる吹上防止部材３を備えた外壁構造Ｋの施工について説明する。
【００２８】
手順１：位置決め突起３１ｃが所定レベルとなるレベルに吹上防止部材３の取り付け位置の墨出しＬを外壁面材１，２に行う（図５参照）。
【００２９】
手順２：外壁面材１，２の墨出しＬがなされたレベルに吹上防止部材３を取り付ける（図６参照）。なお、この時点では、外壁面材１，２間の竪目地は、面材天端までシーリング４がなされている（図７参照）。また、吹上防止部材３の取り付けは、吹上防止部材３の端部が竪目地と重ならないようずらしてなされる（図８および図９参照）。
【００３０】
手順３：位置決め突起３１ｃに軒天ランナー２０の取付金具２１上端を当接して軒天ランナー２０のレベル出しを行う（図１０〜図１２参照）。この場合、垂直辺３１ａの下部が外方に折れ曲がっているので、取付金具２１を垂直辺３１ａにあずけながらレベル出しがなし得るので、作業性が向上する。
【００３１】
手順４：軒天ランナー２０の取付金具２１を外壁面材１，２に押し付けながら、軒天ランナー２０の取付金具２１を外壁面材１，２にビス留め固定する（図１３参照）。これにより、止水材３２が外壁面材１，２およびシーリング４に密着し、竪目地および外壁面材１，２の止水が図られて吹上防止部材３と外壁面材１，２との隙間から雨水が面材表面に沿って上昇して建物内部へ進入するのが防止される。また、止水材３２により止水された雨水は、本体３１の水平辺３１ｂにより下方に落下される。つまり、吹上防止部材３により雨水の吹上げが防止される。
【００３２】
このように、本実施形態によれば、軒天内における換気を阻害することなく、外壁面材１，２およびシーリング４に沿って吹き上げられる雨水の建物内部への進入が防止される。また、吹上防止部材３の位置決め突起３１ｃを利用して軒天ランナー２０の取り付けがなされ、軒天ランナー２０の取付のための墨出しを不要とできるので、工程の増加を最小限に抑えられる。
【００３３】
以上、本発明を実施形態に基づいて説明してきたが、本発明はかかる実施形態のみに限定されるものではなく、種々改変が可能である。例えば、実施形態では軒天ランナー２０の取付部を例に取り説明されているが、本発明の適用は軒天ランナー２０の取付部に限定されるものではなく、各種水平部材、例えばバルコニー笠木の取付部に適用することもできる。
【産業上の利用可能性】
【００３４】
本発明は、外壁面材や竪目地に沿って吹き上げられる雨水の建物内部への進入防止が必要とされる箇所に適用できる。
【図面の簡単な説明】
【００３５】
【図１】本発明の一実施形態に係る外壁構造の要部斜視図である。
【図２】同実施形態の要部水平断面図である。
【図３】同実施形態の吹上防止部材の詳細図である。
【図４】同実施形態の外壁構造における軒天部の一例の断面図である。
【図５】同実施形態の外壁構造の施工手順を示す斜視図であって、外壁面材に吹上防止部材の取り付け位置の墨出しを行った状態を示す。
【図６】同実施形態の外壁構造の施工手順を示す斜視図であって、外壁面材に吹上防止部材を取り付けた状態を示す。
【図７】同実施形態の外壁構造の施工手順を示す斜視図であって、竪目地の面材上端でシーリングがなされた状態を示す。
【図８】同実施形態の外壁構造の施工手順を示す説明図であって、防止部材分割体の接合位置が竪目地位置からずらされている状態を示す。
【図９】同実施形態の外壁構造の施工手順を示す説明図であって、防止部材分割体の接合位置を竪目地位置からずらして取り付ける状態を示す。
【図１０】同実施形態の外壁構造の施工手順を示す斜視図であって、軒天ランナーを取り付けている状態を示す。
【図１１】同実施形態の外壁構造の施工手順を示す説明図であって、軒天ランナーを取付手順を示す。
【図１２】同実施形態の外壁構造の施工手順を示す説明図であって、軒天ランナーのレベル出しをしている状態を示す。
【図１３】同実施形態の外壁構造の施工手順を示す説明図であって、軒天ランナーを吹上防止部材を介して外壁面材に取り付けた状態を示す。
【図１４】従来の外壁パネルの要部斜視図である。
【図１５】同要部水平断面図である。
【図１６】従来の外壁パネルの要部斜視図であって、軒天ランナーを分離した状態で示す。
【図１７】従来の外壁パネルにおける問題点を示す断面図である。
【符号の説明】
【００３６】
・  外壁面材
３        吹上防止部材
３１      本体
３１ｃ    位置決め突起
３２      止水材
４        シーリング
１０        軒天部
２０        軒天ランナー
２１        取付金具
Ｋ        外壁構造
Ｊ        接合位置
【図１】
2008133670.tif 000003
【図２】
2008133670.tif 000004
【図３】
2008133670.tif 000005
【図４】
2008133670.tif 000006
【図５】
2008133670.tif 000007
【図６】
2008133670.tif 000008
【図７】
2008133670.tif 000009
【図８】
2008133670.tif 000010
【図９】
2008133670.tif 000011
【図１０】
2008133670.tif 000012
【図１１】
2008133670.tif 000013
【図１２】
2008133670.tif 000014
【図１３】
2008133670.tif 000015
【図１４】
2008133670.tif 000016
【図１５】
2008133670.tif 000017
【図１６】
2008133670.tif 000018
【図１７】
2008133670.tif 000019